(57)【要約】【課題】他の外部機器との間でデータの送受信を簡単に行うことができる携帯機器を提供すること。【解決手段】近接通信部１９は、起動時においてその存在を報知する通信信号を定期的に送出するようになっており、近接された他のデジタルカメラ１の近接通信部１９との間で近接無線通信を行う。姿勢検出部１３は、カメラ本体３の姿勢を検出する。送受信制御部２１１は、カメラ本体３の姿勢および／または変位をもとに通信開始指示を判定する。そして、送受信制御部２１１は、通信開始指示があった場合に近接通信部１９を起動する。【選択図】図７
2010068494.tif 000002
【特許請求の範囲】
【請求項１】
外部機器との間で近接無線通信を行う近接通信部と、
前記近接通信部を介し、前記外部機器に対するデータの送信および／または前記外部機器から送信されたデータの受信を制御する送受信制御部と、
装置本体の姿勢および／または変位を検出する姿勢／変位姿勢検出部と、
を備え、
前記送受信制御部は、前記姿勢／変位姿勢検出部によって検出された前記装置本体の姿勢および／または変位に応じて、前記近接通信部を起動することを特徴とする携帯機器。
【請求項２】
前記送受信制御部は、前記姿勢／変位姿勢検出部によって検出された前記装置本体の姿勢および／または変位に応じて、前記データの送信と前記データの受信とを切り換えて制御することを特徴とする請求項１に記載の携帯機器。
【請求項３】
被写体像を撮像して撮影データを生成する撮像部と、
前記撮影データを記録する記録部と、
前記撮像部によって撮影データを生成する撮影モードまたは前記記録部に記録された撮影データを表示部に表示する表示モードを動作モードとして設定する設定部と、
を備え、
前記送受信制御部は、前記設定部によって設定されている動作モードを加味して前記近接通信部を起動することを特徴とする請求項１または２に記載の携帯機器。
【請求項４】
前記送受信制御部は、前記設定部によって表示モードが設定されている場合であって、前記姿勢／変位姿勢検出部によって予め設定された前記装置本体の所定の姿勢および／または変位が検出された場合に、前記近接通信部を起動することを特徴とする請求項２に記載の携帯機器。
【請求項５】
前記装置本体の背面に配設された表示部を備え、
前記表示部が配設された前記装置本体の背面側に前記近接通信部のアンテナが配置されており、
前記アンテナの配置によって、前記近接通信部を介して前記外部機器との間で近接無線通信を行うときの前記装置本体の前記外部機器に対する向きが規定されたことを特徴とする請求項１〜４のいずれか１つに記載の携帯機器。
【請求項６】
外部機器との間で近接無線通信を行う近接通信部と、
前記近接通信部を介し、前記外部機器に対するデータの送信および前記外部機器から送信されたデータの受信を制御する送受信制御部と、
装置本体の姿勢を検出する姿勢検出部と、
を備え、
前記送受信制御部は、前記姿勢検出部によって検出された前記装置本体の姿勢に応じて、前記データの送信と前記データの受信とを切り換えて制御することを特徴とする携帯機器。
【請求項７】
被写体像を撮像して撮影データを生成する撮像部と、前記撮影データを記録する記録部とを備えた携帯機器であって、
前記撮像部によって撮影データを生成する撮影モードまたは前記記録部に記録された撮影データを表示部に表示する表示モードを動作モードとして設定する設定部と、
外部機器との間で近接無線通信を行う近接通信部と、
前記近接通信部を介し、前記外部機器に対するデータの送信および前記外部機器から送信されたデータの受信を制御する送受信制御部と、
を備え、
前記送受信制御部は、前記設定部によって設定されている動作モードに応じて前記データの送信と前記データの受信とを切り換えて制御することを特徴とする携帯機器。
【発明の詳細な説明】
【技術分野】
【０００１】
本発明は、携帯機器に関するものである。
【背景技術】
【０００２】
例えば携帯機器間で無線通信を行い、一方の携帯機器に記録されたデータを他方の携帯機器に送信するといったことが一般的に行われている。
【０００３】
一方で、物体の動きを検出したり、タッチデバイスに対する指の動き等を検出することで直感的な操作入力を実現する装置が知られている（例えば特許文献１，２を参照）。すなわち、特許文献１には、ユーザが把持または着用する物体の動作を検出し、その動作パターンに応じて制御対象機器の動作制御を行う技術が開示されている。また、特許文献２には、直感的な手のコンフィギュレーションと動きによって、タイプ入力等の手操作入力を実現する装置が開示されている。
【０００４】
【特許文献１】特開２００５−５９８１２号公報
【特許文献２】特表２００２−５０１２７１号公報
【発明の開示】
【発明が解決しようとする課題】
【０００５】
特許文献１，２のように、従来から直感的な操作入力を実現する技術が知られているが、いずれの技術においても、ユーザが操作する装置（特許文献１であればユーザが把持または着用する物体であり、特許文献２であればユーザが操作入力を行う手操作入力装置）の電源が投入されていることが前提となっている。しかしながら、上記のように携帯機器間でデータを送受する場合、相手機器との間で通信を行うための通信部を常に起動しておくこととすると消費電力が増大してしまうという問題があった。一方で、通信時にのみ通信部を起動するためには、ユーザは、データを送信する側と受信する側のそれぞれの携帯機器に対して通信開始の指示を操作入力して通信部を起動させる必要があり、手間であった。
【０００６】
本発明は、上記に鑑みてなされたものであって、他の外部機器との間でデータの送受信を簡単に行うことができる携帯機器を提供することを目的とする。
【課題を解決するための手段】
【０００７】
上述した課題を解決し、目的を達成するため、本発明にかかる携帯機器は、外部機器との間で近接無線通信を行う近接通信部と、前記近接通信部を介し、前記外部機器に対するデータの送信および／または前記外部機器から送信されたデータの受信を制御する送受信制御部と、装置本体の姿勢および／または変位を検出する姿勢／変位姿勢検出部と、を備え、前記送受信制御部は、前記姿勢／変位姿勢検出部によって検出された前記装置本体の姿勢および／または変位に応じて、前記近接通信部を起動することを特徴とする。
【０００８】
また、本発明にかかる携帯機器は、上記の発明において、前記送受信制御部は、前記姿勢／変位姿勢検出部によって検出された前記装置本体の姿勢および／または変位に応じて、前記データの送信と前記データの受信とを切り換えて制御することを特徴とする。
【０００９】
また、本発明にかかる携帯機器は、上記の発明において、被写体像を撮像して撮影データを生成する撮像部と、前記撮影データを記録する記録部と、前記撮像部によって撮影データを生成する撮影モードまたは前記記録部に記録された撮影データを表示部に表示する表示モードを動作モードとして設定する設定部と、を備え、前記送受信制御部は、前記設定部によって設定されている動作モードを加味して前記近接通信部を起動することを特徴とする。
【００１０】
また、本発明にかかる携帯機器は、上記の発明において、前記送受信制御部は、前記設定部によって表示モードが設定されている場合であって、前記姿勢／変位姿勢検出部によって予め設定された前記装置本体の所定の姿勢および／または変位が検出された場合に、前記近接通信部を起動することを特徴とする。
【００１１】
また、本発明にかかる携帯機器は、上記の発明において、前記装置本体の背面に配設された表示部を備え、前記表示部が配設された前記装置本体の背面側に前記近接通信部のアンテナが配置されており、前記アンテナの配置によって、前記近接通信部を介して前記外部機器との間で近接無線通信を行うときの前記装置本体の前記外部機器に対する向きが規定されたことを特徴とする。
【００１２】
また、本発明にかかる携帯機器は、外部機器との間で近接無線通信を行う近接通信部と、前記近接通信部を介し、前記外部機器に対するデータの送信および前記外部機器から送信されたデータの受信を制御する送受信制御部と、装置本体の姿勢を検出する姿勢検出部と、を備え、前記送受信制御部は、前記姿勢検出部によって検出された前記装置本体の姿勢に応じて、前記データの送信と前記データの受信とを切り換えて制御することを特徴とする。
【００１３】
また、本発明にかかる携帯機器は、被写体像を撮像して撮影データを生成する撮像部と、前記撮影データを記録する記録部とを備えた携帯機器であって、前記撮像部によって撮影データを生成する撮影モードまたは前記記録部に記録された撮影データを表示部に表示する表示モードを動作モードとして設定する設定部と、外部機器との間で近接無線通信を行う近接通信部と、前記近接通信部を介し、前記外部機器に対するデータの送信および前記外部機器から送信されたデータの受信を制御する送受信制御部と、を備え、前記送受信制御部は、前記設定部によって設定されている動作モードに応じて前記データの送信と前記データの受信とを切り換えて制御することを特徴とする。
【発明の効果】
【００１４】
本発明によれば、装置本体の姿勢および／または変位に応じて近接通信部を起動することができる。したがって、装置本体を所定の姿勢および／または変位に従って動かすだけでよいため、通信開始の指示を操作入力することなく簡単に、外部機器との間でデータの送受信を行うことができるという効果を奏する。
【発明を実施するための最良の形態】
【００１５】
以下、図面を参照し、本発明の好適な実施の形態について詳細に説明する。なお、この実施の形態によって本発明が限定されるものではない。また、各図面の記載において、同一部分には同一の符号を付して示している。
【００１６】
（実施の形態１）
図１は、本発明の携帯機器を適用したデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図７を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１６、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１７】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１６に表示されるようになっている。ユーザは、グリップ部８を保持してカメラ本体３を構え、表示部１６のライブビュー画像を見ながらレリーズスイッチ５を押下して静止画や動画を撮影し、あるいは撮影した静止画や動画を表示部１６に表示（再生）して楽しむ。
【００１８】
このデジタルカメラ１は、図２に示すように、カメラ本体３の背面側の所定位置において、外部機器である他のデジタルカメラ１と近接無線通信を行うための近接通信部１９を内蔵している。
【００１９】
図３は、デジタルカメラ１間で通信を行う様子を側面側から示した説明図であり、図３では、一方をデジタルカメラ１−１とし、他方をデジタルカメラ１−２としている。デジタルカメラ１−１および１−２の近接通信部１９は、そのアンテナがカメラ本体３の背面側に配置されるように具備されており、図３に示すように、カメラ本体３の背面同士が近づけられ、各々の近接通信部１９が互いに通信可能圏内に近接されると、これらの間で通信が確立されるようになっている。このように、実施の形態１では、近接通信部１９の配置によって通信時におけるカメラ本体３の前後方向の姿勢を規定している。すなわち、カメラ本体３の背面を対向させた状態でこれらを近づけると通信が確立される一方、カメラ本体３の前面を対向させて近づけたり、カメラ本体３の前面と背面とを対向させて近づけても通信が確立されない。
【００２０】
このデジタルカメラ１は、カメラ本体３に内蔵された姿勢検出部１３および変位検出部１４（図７を参照）によってカメラ本体の姿勢および変位を検出し、検出した姿勢および変位をもとに通信開始指示を判定しており、通信開始指示があった場合に近接通信部１９を起動する。ここで、近接通信部１９は、起動時においてその存在を報知する通信信号を定期的に送出するようになっており、通信を行う少なくとも一方のデジタルカメラ１（例えば図３のデジタルカメラ１−１）において近接通信部１９が起動されていれば、その近接通信部１９から送出される通信信号によって他方のデジタルカメラ１（例えば図３のデジタルカメラ１−２）の近接通信部１９を自動的に起動することができる。
【００２１】
図４は、通信開始指示を説明する説明図である。実施の形態１では、例えば、カメラ本体３の背面が鉛直下方に向いた状態で鉛直下方にスライド移動する変位を通信開始指示として検出する。すなわち、ユーザは、近接通信部１９を起動して通信を開始したい場合には、デジタルカメラ１−１のカメラ本体３の背面を下にした状態で、図４中に矢印Ａ２で示すように鉛直下方にスライドさせて動かす。このようにしてカメラ本体３を動かすと、近接通信部１９が起動されるようになっており、他のデジタルカメラ１との通信が可能となる。
【００２２】
そして、実際に他のデジタルカメラ１との間でデータを送受するために、デジタルカメラ１は、姿勢検出部１３が検出した姿勢検出の結果をもとに図３の状態を検出する。具体的には、デジタルカメラ１は、図３のデジタルカメラ１−１のようにカメラ本体３の背面側が鉛直下方を向いた状態を送信姿勢として検出するとともに、図３のデジタルカメラ１−２のようにカメラ本体３の前面側が鉛直下方を向いた状態を受信姿勢として検出する。カメラ本体３の送信姿勢を検出したデジタルカメラ１は、通信相手の他のデジタルカメラ１に対するデータの送信処理を行う。一方、カメラ本体３の受信姿勢を検出したデジタルカメラ１は、通信相手の他のデジタルカメラ１からのデータの受信処理を行う。
【００２３】
ここで、デジタルカメラ１間で送受信されるデータは、例えばデジタルカメラ１に記録されている撮影データであり、例えば、デジタルカメラ１で撮影された静止画や動画のデータである。このとき、撮影された全ての静止画および動画のデータを送信することとしてもよいし、これらの中からユーザが指定したデータを送信することとしてもよい。また、動画の撮影中に録音された音データ等、デジタルカメラ１で録音された音データを送信するようにしてもよい。
【００２４】
図５は、撮影時や再生時等、通常使用時のカメラ本体３の把持状態を示す図である。また、図６は、通信時のカメラ本体３の把持状態を示す図である。ユーザは、他のデジタルカメラ１との間でデータを送受信したい場合には、図５に示す通常使用時の把持状態、すなわち表示部１６を手前にした把持状態からカメラ本体３を水平方向に回転させて裏返し、図６に示す通信時の把持状態、すなわち撮像レンズ４を手前にした把持状態へと持ち替える。その後、カメラ本体３を鉛直下方にスライドさせて動かすことで近接通信部１９を起動し、背面同士が対向するように通信相手の他のデジタルカメラ１にカメラ本体３を近づけて通信を確立させるが、このとき、データを送信する側のデジタルカメラ１を送信姿勢にし、データを受信する側のデジタルカメラ１を受信姿勢にする。以下、近接無線通信によってデータの送受信を行う通信相手の他のデジタルカメラ１を、適宜「相手カメラ」と称す。
【００２５】
図７は、デジタルカメラ１の主要内部構成の一例を示すブロック図である。図７に示すように、デジタルカメラ１は、撮像部１１、画像処理部１２、姿勢検出部１３、変位検出部１４、操作部１５、表示部１６、記録部１７、時計部１８、近接通信部１９、制御部２１等を備える。
【００２６】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００２７】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００２８】
姿勢検出部１３は、カメラ本体３の姿勢を検出するためのものであり、公知の傾斜センサ等で実現される。一方、変位検出部１４は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００２９】
図８は、姿勢検出部１３によるカメラ本体３の姿勢検出および変位検出部１４によるカメラ本体３の変位検出を説明するための図である。図８に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。
【００３０】
姿勢検出部１３は、カメラ本体３内部の適所に配設されており、ＸＺ平面における重力方向を姿勢情報として出力する。一方、変位検出部１４は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１４は、加速度センサの検出結果をもとにカメラ本体３の移動量を検出するとともに、角速度センサの検出結果をもとにカメラ本体３の回転量を検出し、カメラ本体３の変位として検出する。
【００３１】
図９および図１０は、傾斜センサを用いたカメラ本体３の姿勢の検出原理の一例を説明する図である。図９または図１０に示すように、傾斜センサは、内部に閉空間３１２が形成され、この閉空間３１２にボール部材３１３が移動自在に収納されたケース部材３１１と、閉空間３１２内の適所に配置されたＬＥＤ等の発光部３１４およびフォトダイオード等の１対の受光部３１５，３１６とを備え、発光部３１４が発した光を各受光部３１５，３１６で検知することによってカメラ本体３に対する重力の方向をＸ軸方向およびＺ軸方向の４方向で検出する。この姿勢検出部１３は、対向する受光部３１５，３１６が前述のローカルなＸ軸方向に沿って配置されるようにカメラ本体３に設けられる。
【００３２】
例えば、図９に示すように、閉空間３１２内においてボール部材３１３が受光部３１５の直前に移動した場合には、受光部３１５の手前においてボール部材３１３が発光部３１４からの光を遮る。このため、受光部３１６は光を検知するが、受光部３１５は光を検知しない。このような場合には、姿勢検出部１３は、カメラ本体３の重力方向をローカルなＸ軸の負の方向として検出する。一方、図１０に示すように、閉空間３１２内においてボール部材３１３が発光部３１４の反対側に移動した場合には、ボール部材３１３は発光部３１４からの光を遮らない。このため、受光部３１５および３１６がともに光を検知する。このような場合には、姿勢検出部１３は、カメラ本体３の重力方向をローカルなＺ軸の負の方向として検出し、カメラ本体３の姿勢を、図３のデジタルカメラ１−１のように背面側が鉛直下方を向いた状態（送信姿勢）として検出する。なお、図示しないが、図９または図１０の閉空間３１２内においてボール部材３１３が発光部３１４の直前に移動した場合には、発光部３１４の光をボール部材３１３が遮断するため、受光部３１５および３１６がともに光を検知しない。このような場合には、姿勢検出部１３は、カメラ本体３の重力方向をローカルなＺ軸の正の方向として検出し、カメラ本体３の姿勢を、図３のデジタルカメラ１−２のように前面側が鉛直下方を向いた状態（受信姿勢）として検出する。
【００３３】
また、図１１，図１２−１〜３は、加速度センサを用いたカメラ本体３の移動量の検出原理の一例を説明する図である。図１１に示すように、加速度センサは、チップ表面に固定された固定電極３２１，３２３と、この固定電極３２１，３２３上に架橋され、加速度に起因して矢印Ａ４の方向に移動する可動電極３２５とを有する。そして、固定電極３２１と可動電極３２５との間の静電容量の変化および固定電極３２３と可動電極３２５との間の静電容量の変化を検出して加速度を検出する。この加速度センサの出力（図１２−１）を積分することで速度が得られ（図１２−２）、さらに積分することで移動量が得られる（図１２−３）。
【００３４】
そして、図１３，図１４は、角速度センサを用いたカメラ本体３の回転量の検出原理の一例を説明する図である。図１３に示すように、角速度センサは、圧電セラミック素子が形成された一対の振動体３３１，３３３を有し、この振動体３３１，３３３を図１３中に示す振動方向に振動させた状態で、コリオリ力を利用して角速度を検出するものである。そして、この角速度センサの出力を積分することで回転量が得られる（図１４）。
【００３５】
図７に示す操作部１５は、設定部として、撮影の開始指示、静止画撮影や動画撮影等の撮影モード、再生モード、通信モードといったモードの選択操作、撮影条件の設定操作等、ユーザによる各種操作を受け付けて操作信号を制御部２１に通知するためのものである。この操作部１５は、図１のレリーズスイッチ５やボタンスイッチ７を含む。
【００３６】
表示部１６は、撮影された静止画や動画、ライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１６には、撮影モード中は例えば１フレーム毎にライブビュー画像が再描画されて動画的に連続表示され、再生モード中は撮影された静止画や動画が表示される。
【００３７】
記録部１７は、デジタルカメラ１を動作させ、このデジタルカメラ１が備える種々の機能を実現するための各種のカメラプログラムや、このカメラプログラムの実行中に使用されるデータ等を記録しておくためのものであり、撮影された静止画データ、動画データ、音データ等の撮影データや、相手カメラ１から受信した撮影データ等を記録しておくためのものである。この記録部１７は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３８】
時計部１８は、日付および時刻を計時するためのものである。この時計部１８が計時する現在時刻によって、静止画や動画の撮影日および撮影時刻が特定され、撮影された静止画や動画は、撮影日および撮影時刻とともに記録部１７に記録されるようになっている。
【００３９】
近接通信部１９は、相手カメラ１との間で近接無線通信を行うためのものであり、アンテナによって相手カメラ１の近接通信部１９との間で電波信号を送受信し、受信信号を復調処理するとともに、送信信号を変調処理する送受信回路等で構成される。この近接通信部１９は、前述のように、起動時においてその存在を報知する通信信号を定期的に送出するとともに、他のデジタルカメラ１の近接通信部１９から送出された通信信号を検知して停止状態または待機状態から復帰し、他のデジタルカメラ１との間で通信を確立するようになっている。
【００４０】
制御部２１は、ＣＰＵ等で実現され、操作部１５からの操作信号等に応じて記録部１７からカメラプログラムを読み出して実行し、デジタルカメラ１を構成する各部に対する指示やデータの転送等を行ってデジタルカメラ１の動作を統括的に制御する。この制御部２１は、近接通信部１９を介して相手カメラ１にデータを送信し、相手カメラ１から送信されたデータを受信する制御を行う送受信制御部２１１を含み、上記したカメラプログラムは、制御部２１を送受信制御部２１１として機能させるためのプログラムを含む。送受信制御部２１１は、カメラ本体３の姿勢および変位をもとに通信開始指示を判定し、通信開始指示があった場合に近接通信部１９を起動するとともに、カメラ本体３の姿勢が送信姿勢なのか受信姿勢なのかに応じて、近接通信部１９によって相手カメラ１との間で通信が確立した際に行う相手カメラ１に対するデータの送信と相手カメラ１から送信されたデータの受信とを切り換えて制御する。
【００４１】
次に、デジタルカメラ１が行う処理手順について説明する。図１５は、実施の形態１のデジタルカメラ１が行う基本処理の手順を示すフローチャートである。電源投入時、デジタルカメラ１は、ユーザ操作によって選択されるモードに応じた処理を行う。すなわち、図１５に示すように、現在選択されているモードが撮影モードの場合には（ステップａ１：Ｙｅｓ）、制御部２１は、撮像部１１を起動して画像を取り込み（ステップａ３）、取り込んだ画像をライブビュー画像として表示部１６に表示する処理を行う（ステップａ５）。そして、撮影指示がない間は（ステップａ７：Ｎｏ）、ステップａ３に戻って処理を繰り返し、ライブビュー画像を１フレーム毎に更新表示させる。
【００４２】
そして、レリーズスイッチ５が押下されて撮影が指示された場合には（ステップａ７：Ｙｅｓ）、静止画または動画の撮影処理を行う（ステップａ９）。すなわち、静止画撮影を行う場合には１回の撮影処理を行い、１枚の静止画データを生成して記録部１７に記録する。一方、動画撮影を行う場合であれば、静止画データを連続的に生成して動画データとして記録部１７に記録する。そして、制御部２１は、撮影された静止画データまたは動画データの記録を終えると（ステップａ１１：Ｙｅｓ）、ステップａ１３に移行する。なお、動画撮影時において、図示しないマイクによって集音される音声等の音の録音処理を行い、音データを生成して動画データと併せて記録することとしてもよい。
【００４３】
ステップａ１３では、制御部２１は、撮影モードの終了判定を行い、終了する場合には（ステップａ１３：Ｙｅｓ）、ステップａ３９に移行する。撮影モードを終了しない場合には（ステップａ１３：Ｎｏ）、制御部２１は、ステップａ３に戻る。
【００４４】
現在のモードが撮影モードではなく（ステップａ１：Ｎｏ）、再生モードの場合には（ステップａ１５：Ｙｅｓ）、制御部２１は、記録部１７に記録されている撮影データを順次読み出して再生処理を行う（ステップａ１７）。このとき、過去に静止画撮影された静止画データや動画撮影された動画データを先ずサムネイル形式で一覧表示させることとしてもよい。そして、一覧の中から選択されたものを再生表示することとしてもよい。また、動画を再生する際に、動画データと併せて記録されている音データを、図示しないスピーカから音出力するようにしてもよい。なお、ここで再生する撮影データは、自機で撮影した撮影データの他、後述のステップａ３３で相手カメラ１から受信した撮影データを含む。
【００４５】
再生処理を終えると、再生する撮影画像の選択操作を受け付ける。そして、再生する撮影画像の選択操作がない場合には（ステップａ１９：Ｎｏ）、ステップａ２３に移行する。一方、選択操作があれば（ステップａ１９：Ｙｅｓ）、制御部２１は、再生画像を選択された撮影画像に切り換えて表示部１６に表示し（ステップａ２１）、その後ステップａ２３に移行する。
【００４６】
ステップａ２３では、制御部２１は、再生モードの終了判定を行い、終了する場合には（ステップａ２３：Ｙｅｓ）、ステップａ３９に移行する。再生モードを終了しない場合には（ステップａ２３：Ｎｏ）、制御部２１は、ステップａ１９に戻る。
【００４７】
また、デジタルカメラ１の電源投入時、制御部２１は、姿勢検出部１３による姿勢検出の結果および変位検出部１４による変位検出の結果をもとにして通信開始指示を検出しており、通信開始指示を検出した場合に近接通信部１９を起動するようになっている。すなわち、先ず、姿勢検出部１３によってカメラ本体３の姿勢を検出するとともに、変位検出部１４によってカメラ本体３の変位を検出する（ステップａ２５）。そして、制御部２１は、通信開始指示があった場合、すなわち図４に示したカメラ本体３の背面を下にした鉛直下方へのスライド移動を検出した場合に（ステップａ２６：Ｙｅｓ）、送受信制御部２１１が近接通信部１９を起動して通信信号の送出を開始し（ステップａ２７）、その後ステップａ２９に移行する。なお、このとき、通信開始指示として、単にカメラ本体３の背面を下にした鉛直下方へのスライド移動を検出するだけでなく、スライド移動の速度を加味して通信開始指示を検出するようにしてもよい。
【００４８】
そして、続くステップａ２９では、相手カメラ１との間で通信が確立した場合を監視している。なお、ここで監視する相手カメラ１との通信は、前述のステップａ２６で通信開始指示が検出された場合であれば、ステップａ２７で近接通信部１９が送出を開始した通信信号を相手カメラ１が受信し、受信した通信信号によって相手カメラ１が自動的に近接通信部１９を起動することで実現される。一方、自機による通信開始指示が検出されない場合（ステップａ２６：Ｎｏ）であっても、相手カメラ１側で通信開始指示がなされており、相手カメラ１から通信信号が送出されていれば、これらのカメラ本体３同士が近づけられて相手カメラ１からの通信信号を受信することで実現される。
【００４９】
そして、デジタルカメラ１の電源投入時に相手カメラ１との間で通信が確立すると（ステップａ２９：Ｙｅｓ）、送受信制御部２１１は、姿勢検出部１３による姿勢検出の結果をもとにしてカメラ本体３の送信姿勢または受信姿勢を検出する。すなわち、送受信制御部２１１は、カメラ本体３が送信姿勢の場合には（ステップａ３１：Ｙｅｓ）、送信モードとなって送信制御処理を行い（ステップａ３３）、その後ステップａ３７に移行する。一方、カメラ本体３の姿勢が送信姿勢でなく（ステップａ３１：Ｎｏ）、受信姿勢の場合には（ステップａ３４：Ｙｅｓ）、送受信制御部２１１は、受信モードとなって受信制御処理を行い（ステップａ３５）、その後ステップａ３７に移行する。なお、受信姿勢でもない場合には（ステップａ３４：Ｎｏ）、ステップａ３７に移行する。
【００５０】
すなわち、ステップａ３７では、送受信制御部２１１は、近接通信部１９を停止状態にし、ステップａ３９に移行する。
【００５１】
そして、ステップａ３９では、制御部２１は、基本処理を終了するか否かを判定する。例えば、ボタンスイッチ７の操作によって電源ＯＦＦが指示された場合に、本処理を終える（ステップａ３９：Ｙｅｓ）。一方、終了しない場合には（ステップａ３９：Ｎｏ）、ステップａ１に戻る。
【００５２】
ここで、送受信制御部２１１が行う送信制御処理および受信制御処理について説明する。図１６は、送信制御処理および受信制御処理の詳細な処理手順を示すフローチャートである。ここで、自機の姿勢が送信姿勢であれば、図１６中の左側に示す送信制御処理を行い、受信姿勢であれば、図１６中の右側に示す受信制御処理を行う。
【００５３】
図１６に示すように、送信制御処理では、送受信制御部２１１は、通信が確立した相手カメラ１に受信依頼を通知し（ステップｂ１）、その後、送信依頼の通知の有無を判定する。
【００５４】
ここで、送信制御処理は、カメラ本体３が送信姿勢の状態で相手カメラ１との通信が確立した場合に実行される処理であり、受信制御処理は、カメラ本体３が受信姿勢の状態で相手カメラ１との通信が確立した場合に実行される処理である。換言すると、通信が確立したときのデジタルカメラ１の姿勢と関係なく、相手カメラ１は受信姿勢でなければ受信制御処理を実行せず、後述の送信依頼の通知（ステップｃ５）を行わない。同様に、通信が確立したときのデジタルカメラ１の姿勢と関係なく、相手カメラ１は送信姿勢でなければ送信制御処理を実行せず、前述の受信依頼の通知（ステップｂ１）を行わない。
【００５５】
このため、受信制御処理では、送受信制御部２１１は先ず、受信依頼の通知の有無を判定する。そして、送信依頼の通知がない場合には（ステップｃ１：Ｎｏ）、相手カメラ１がデータを送信する状態（送信姿勢）ではないので、送受信制御部２１１は、その旨を警告表示する処理を行い（ステップｃ３）、受信制御処理を終えて図１５のステップａ３５にリターンする。送信依頼の通知があったならば（ステップｃ１：Ｙｅｓ）、相手カメラ１がデータを送信する状態（送信姿勢）であるので、送受信制御部２１１は、相手カメラ１に受信依頼を通知する（ステップｃ５）。
【００５６】
一方、送信制御処理では、受信依頼の通知がない場合には（ステップｂ３：Ｎｏ）、相手カメラ１がデータを受信する状態（受信姿勢）ではないので、送受信制御部２１１は、その旨を警告表示する処理を行い（ステップｂ５）、送信制御処理を終えて図１５のステップａ３３にリターンする。受信依頼の通知があったならば（ステップｂ３：Ｙｅｓ）、相手カメラ１がデータを受信する状態（受信姿勢）であるので、続いて送受信制御部２１１は、近接通信部１９を介し、記録部１７に記録されている撮影データ（静止画や動画のデータ、音データ）の全部または一部を通信が確立した相手カメラ１に送信する処理を行う（ステップｂ７）。
【００５７】
これに応答して、受信制御処理では、送受信制御部２１１は、受信結果を相手カメラ１に通知する（ステップｃ７）。そして、送受信制御部２１１は、データの受信に成功した場合には（ステップｃ９：Ｙｅｓ）、受信したデータを記録部１７に記録する処理を行い（ステップｃ１１）、受信制御処理を終えて図１５のステップａ３５にリターンする。なお、このとき、受信したコンテンツデータを表示部１６に表示させるようにしてもよい。これにより、ユーザは、受信したデータの内容を確認することができる。データの受信に失敗したならば（ステップｃ９：Ｎｏ）、送受信制御部２１１は、警告表示を行って（ステップｃ１３）、受信制御処理を終えて図１５のステップａ３５にリターンする。具体的には、送受信制御部２１１は、通信に失敗した場合の他、相手カメラ１から撮影データが送信されない等の事態が生じた場合に、その旨のメッセージを表示部１６に表示する処理を行なう。
【００５８】
そして、送信制御処理では、相手カメラ１から通知された受信結果をもとに送信が成功したか否かを判定し、データの送信に成功した場合には（ステップｂ９：Ｙｅｓ）、送信制御処理を終えて図１５のステップａ３３にリターンする。データの送信に失敗したならば（ステップｂ９：Ｎｏ）、送受信制御部２１１は、警告表示を行って（ステップｂ１１）、送信制御処理を終えて図１５のステップａ３３にリターンする。具体的には、送受信制御部２１１は、通信に失敗した場合等が生じた場合に、その旨のメッセージを表示部１６に表示する処理を行う。なお、記録部１７に静止画や動画のデータが記録されていない等の事態が生じ、ステップｂ７でデータの送信が行えなかった場合も、その旨のメッセージを表示部１６に表示する処理を行なう。
【００５９】
以上説明したように、実施の形態１によれば、カメラ本体３の姿勢および変位をもとに通信開始指示を検出し、通信開始指示を検出した場合に近接通信部１９を起動して無線信号の送出を開始することができる。そして、カメラ本体３の姿勢が送信姿勢なのか受信姿勢なのかに応じて、相手カメラ１に対するデータの送信と相手カメラ１からのデータの受信とを切り換えて行うことができる。したがって、ユーザは、カメラ本体３を動かすだけの簡単な操作によって、各デジタルカメラ１の近接通信部１９を起動するとともに、一方のデジタルカメラ１にデータの送信を行わせ、他方の近接通信部１９にデータの受信を行わせることができる。これによれば、データを送受するデジタルカメラ１それぞれに対して近接通信部１９を起動するための通信開始指示を操作入力する必要がなく、さらに送信側のデジタルカメラ１に対するデータの送信指示や受信側のデジタルカメラ１に対するデータの受信指示の操作入力も必要がなく、他のデジタルカメラ１との間でデータの送受信を簡単に行うことができるという効果を奏する。
【００６０】
また、単にデジタルカメラ１間で通信が確立しただけではデータの送受信は行われず、一方が送信姿勢であって、他方が受信姿勢である場合にデータの送受信を行うことができるので、デジタルカメラ１が意図せず他のデジタルカメラ１と近づけられた場合等の誤送信を低減できる。さらに、カメラ本体３の姿勢を送信姿勢または受信姿勢として検出した場合にのみ近接通信部１９を起動することとし、カメラ本体３の送信姿勢または受信姿勢を検出しない間は近接通信部１９を駆動しないようにした。これにより、デジタルカメラ１の電力の消費を抑えることが可能となる。
【００６１】
ここで、近接通信部１９間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている静止画データ、動画データ、音データ等の撮影データの全部または一部を瞬時に相手カメラ１に送信することができる。
【００６２】
（実施の形態２）
図１７は、実施の形態２のデジタルカメラが行う基本処理の手順を示すフローチャートである。なお、実施の形態２のデジタルカメラは、実施の形態１において図７に示して説明したデジタルカメラ１と同様に構成されるものであり、実施の形態２のデジタルカメラは、その制御部が実施の形態１と異なる処理を行う。
【００６３】
電源投入時、制御部は先ず、近接通信部起動処理を開始する（ステップｄ１）。図１８は、ここで開始される近接通信部起動処理の詳細な処理手順を示すフローチャートである。
【００６４】
近接通信部起動処理では、制御部は先ず、近接通信部を起動する（ステップｅ１）。続いて、制御部は、タイマを起動して計時処理を開始する（ステップｅ３）。このタイマは、今回近接通信部を起動してからの経過時間を計時するためのものである。
【００６５】
続いて、制御部は、ステップｅ３で起動したタイマの計時を判定する。そして、ステップｅ１で近接通信部を起動してから所定時間ｔａが経過しない間は（ステップｅ５：Ｎｏ）、ステップｅ７に移行して終了判定を行う。例えばデジタルカメラの電源が遮断された場合等、処理を終了する場合には（ステップｅ７：Ｙｅｓ）、近接通信部をＯＦＦした後（ステップｅ９）、処理を終える。処理を終了しない場合には（ステップｅ７：Ｎｏ）、ステップｅ５に戻る。
【００６６】
一方、近接通信部を起動してから所定時間ｔａが経過した場合には（ステップｅ５：Ｙｅｓ）、制御部は、相手カメラとの間で通信が確立しているか否かを判定する。通信が確立していない場合には（ステップｅ１１：Ｎｏ）、ステップｅ１５に移行する。また、通信が確立している場合には（ステップｅ１１：Ｙｅｓ）、送受信制御部が相手カメラとの間でデータの送受信を行っているかまたはこれからデータの送受信を行うことが想定されるので、制御部は、送受信制御部がデータの送受信を終了するまで待機状態となる。そして、制御部は、送受信制御部によるデータの送受信を終えたならば（ステップｅ１３：Ｙｅｓ）、ステップｅ１５に移行する。
【００６７】
ステップｅ１５では、制御部は、タイマをリセットする。その後、制御部は、近接通信部をＯＦＦする（ステップｅ１７）。
【００６８】
続いて制御部は、再度タイマを起動して計時処理を開始する（ステップｅ１９）。このタイマは、前回近接通信部をＯＦＦしてからの経過時間を計時するためのものである。
【００６９】
そして、制御部は、ステップｅ１９で起動したタイマの計時を判定する。ステップｅ１７で近接通信部をＯＦＦしてから所定時間ｔｂが経過しない間は（ステップｅ２１：Ｎｏ）、ステップｅ２３に移行して終了判定を行う。例えばデジタルカメラの電源が遮断された場合等、処理を終了する場合には（ステップｅ２３：Ｙｅｓ）、処理を終える。処理を終了しない場合には（ステップｅ２３：Ｎｏ）、ステップｅ２１に戻る。
【００７０】
一方、近接通信部をＯＦＦしてから所定時間ｔｂが経過した場合には（ステップｅ２１：Ｙｅｓ）、制御部は、ステップｅ１に戻って近接通信部を起動し、その後ステップｅ３に移行して上記した処理を繰り返す。
【００７１】
デジタルカメラは、以上のような近接通信部起動処理を開始したならば、ユーザ操作によって選択されるモードに応じた処理を行う。すなわち、図１７に示すように、現在選択されているモードが撮影モードの場合には（ステップｄ３：Ｙｅｓ）、制御部は、撮像部を起動して画像を取り込み（ステップｄ５）、取り込んだ画像をライブビュー画像として表示部に表示する処理を行う（ステップｄ７）。
【００７２】
そして、レリーズスイッチが押下されて撮影が指示された場合には（ステップｄ９：Ｙｅｓ）、実施の形態１と同様にして静止画または動画の撮影処理を行う（ステップｄ１１）。そして、制御部は、撮影された静止画データまたは動画データの記録を終えると（ステップｄ１３：Ｙｅｓ）、ステップｄ１９に移行する。
【００７３】
一方、撮影指示がない場合には（ステップｄ９：Ｎｏ）、ステップｄ１５に移行する。そして、撮影モード中に相手カメラとの間で通信が確立すると（ステップｄ１５：Ｙｅｓ）、受信モードとなって、送受信制御部が受信制御処理を行う（ステップｄ１７）。ここで、受信制御処理は、実施の形態１で図１６に示した受信制御処理と同様にして行う。この受信制御処理を終えた後、またはステップｄ１５で通信が確立しない場合は（ステップｄ１５：Ｎｏ）、ステップｄ１９に移行する。
【００７４】
ステップｄ１９では、制御部は、撮影モードの終了判定を行い、終了する場合には（ステップｄ１９：Ｙｅｓ）、ステップｄ３５に移行する。撮影モードを終了しない場合には（ステップｄ１９：Ｎｏ）、制御部は、ステップｄ５に戻る。
【００７５】
現在のモードが撮影モードではなく（ステップｄ３：Ｎｏ）、再生モードの場合には（ステップｄ２１：Ｙｅｓ）、制御部は、記録部に記録されている撮影データを順次読み出して再生処理を行う（ステップｄ２３）。
【００７６】
この再生モード中に相手カメラとの間で通信が確立すると（ステップｄ２５：Ｙｅｓ）、送信モードとなって送受信制御部が送信制御処理を行う（ステップｄ２７）。ここで、送信制御処理は、実施の形態１で図１６に示した送信制御処理と同様にして行う。なお、ここでの送信制御処理では、例えば、再生中の撮影データを相手カメラに送信する。この送信制御処理を終えた後、またはステップｄ２５で通信が確立しない場合は（ステップｄ２５：Ｎｏ）、ステップｄ２９に移行する。
【００７７】
ステップｄ２９では、再生する撮影画像の選択操作を受け付ける。再生する撮影画像の選択操作がない場合には（ステップｄ２９：Ｎｏ）、ステップｄ３３に移行する。そして、選択操作があれば（ステップｄ２９：Ｙｅｓ）、制御部は、再生画像を選択された撮影画像に切り換えて表示部に表示し（ステップｄ３１）、その後ステップｄ３３に移行する。
【００７８】
ステップｄ３３では、制御部は、再生モードの終了判定を行い、終了する場合には（ステップｄ３３：Ｙｅｓ）、ステップｄ３５に移行する。再生モードを終了しない場合には（ステップｄ３３：Ｎｏ）、制御部は、ステップｄ２５に戻る。
【００７９】
また、現在のモードが撮影モードではなく（ステップｄ３：Ｎｏ）、再生モードでもない場合には（ステップｄ２１：Ｎｏ）、ステップｄ３５に移行する。
【００８０】
そして、ステップｄ３５では、制御部は、基本処理を終了するか否かを判定する。例えば、ボタンスイッチ７の操作によって電源ＯＦＦが指示された場合に、本処理を終える（ステップｄ３５：Ｙｅｓ）。一方、終了しない場合には（ステップｄ３５：Ｎｏ）、ステップｄ３に戻る。
【００８１】
ここで、実施の形態２の受信制御処理は、撮影モード中に相手カメラとの間で通信が確立した場合に実行される処理であり、送信制御処理は、再生モード中に相手カメラとの間で通信が確立した場合に実行される処理である。換言すると、通信が確立したときのデジタルカメラのモードに関わらず、相手カメラは再生モードでなければ送信制御処理を実行せず、受信依頼の通知（図１６のステップｂ１を参照）を行わない。同様に、通信が確立したときのデジタルカメラのモードに関わらず、相手カメラは撮影モードでなければ受信制御処理を実行せず、送信依頼の通知（図１６のステップｃ５を参照）を行わない。
【００８２】
以上説明したように、実施の形態２によれば、デジタルカメラのモードが撮影モードなのか再生モードなのかに応じて、相手カメラに対するデータの送信と相手カメラからのデータの受信とを切り換えて行うことができる。したがって、ユーザは、データを送信する側のデジタルカメラ１を再生モードにし、データを受信する側のデジタルカメラ１を撮影モードにして、これらを近づけて通信を確立させるだけでよい。これによれば、ボタンスイッチを操作してメニュー操作を繰り返し、データの送信指示あるいはデータの受信指示を操作入力する必要がなく、他のデジタルカメラ１との間でデータの送受信を簡単に行うことができるという効果を奏する。
【００８３】
なお、図１７中のステップｄ１５で通信が確立した際、カメラ本体の姿勢を検出するようにしてもよい。具体的には、実施の形態１と同様にして、姿勢検出部による姿勢検出の結果をもとにカメラ本体の受信姿勢を検出し、受信姿勢の場合にステップｄ１７に移行して受信制御処理を行うようにしてもよい。また、ステップｄ２５で通信が確立した際においても、実施の形態１と同様にして姿勢検出部による姿勢検出の結果をもとにカメラ本体の送信姿勢を検出し、送信姿勢の場合にステップｄ２７に移行して送信制御処理を行うようにしてもよい。
【００８４】
また、単にデジタルカメラ間で通信が確立しただけではデータの送受信は行われず、一方が撮影モードであって、他方が再生モードである場合にデータの送受信を行うことができるので、デジタルカメラが意図せず他のデジタルカメラと近づけられた場合等の誤送信を低減できる。さらに、デジタルカメラの電源投入時において近接通信部起動処理を行うようにし、所定時間ｔｂの間隔をあけて所定時間ｔａの間近接通信部を起動することとした。これにより、デジタルカメラの電力の消費を抑えることが可能となる。
【００８５】
（実施の形態３）
図１９は、実施の形態３のデジタルカメラが行う基本処理の手順を示すフローチャートである。なお、図１９において、図１７と同様の処理工程には同一の符号を付している。なお、実施の形態３のデジタルカメラは、実施の形態１において図７に示して説明したデジタルカメラ１と同様に構成されるものであり、実施の形態３のデジタルカメラは、その制御部が実施の形態１と異なる処理を行う。
【００８６】
実施の形態３では、撮影モード中において撮影指示がない場合に（ステップｄ９：Ｎｏ）、ステップｆ１９に移行し、制御部が、相手カメラとの間で通信が確立した場合を監視する。なお、ここで監視する相手カメラとの通信は、再生モード中の相手カメラ側で通信開始指示がなされ、相手カメラから通信信号が送出されている場合であって、相手カメラと近づけられて相手カメラから送出されている通信信号を受信した場合に、近接通信部を起動することで実現される。
【００８７】
そして、相手カメラとの間で通信が確立すると（ステップｆ１９：Ｙｅｓ）、送受信制御部は、姿勢検出部による姿勢検出の結果をもとにしてカメラ本体の受信姿勢を検出する。カメラ本体の受信姿勢を検出した場合には（ステップｆ２０：Ｙｅｓ）、送受信制御部は、受信モードとなって受信制御処理を行う（ステップｆ２１）。ここで、受信制御処理は、実施の形態１で図１６に示した受信制御処理と同様にして行う。なお、このとき、受信モードとなった旨のメッセージを表示部に表示する処理を行なってユーザに報知するようにしてもよい。また、この報知は、表示部へのメッセージ表示に限定されるものではなく、例えば表示部へのデータの受信を報知するマーク表示や、マークの点滅表示等であってもよいし、例えばカメラ本体に発光部（ＬＥＤ）を設け、この発光部の点灯または点滅等によって報知する構成としてもよい。この受信制御処理を終えた後、またはステップｆ１９で通信が確立しない場合は（Ｎｏ）、ステップｆ２３に移行する。なお、ここでは、ステップｆ２０において受信姿勢を検出し、相手カメラからのデータの受信を制御する場合について説明したが、受信姿勢だけでなく送信姿勢についても検出するようにしてもよい。そして、検出したカメラ本体の姿勢が送信姿勢なのか受信姿勢なのかに応じて処理を分岐し、送信姿勢の場合に、送信モードとなって送信制御処理を行うこととしてもよい。
【００８８】
そして、ステップｆ２３では、送受信制御部は、近接通信部を停止状態にし、ステップｄ１９に移行する。
【００８９】
また、再生モード中において、再生処理を終えると（ステップｄ２３）、ステップｆ２５に移行する。そして、制御部が、姿勢検出部による姿勢検出の結果および変位検出部による変位検出の結果をもとにして通信開始指示を検出する。すなわち、先ず、姿勢検出部によってカメラ本体の姿勢を検出するとともに、変位検出部によってカメラ本体の変位を検出する（ステップｆ２５）。そして、制御部は、通信開始指示があった場合、例えば図４に示したカメラ本体の背面を下にした鉛直下方へのスライド移動を検出した場合に（ステップｆ２６：Ｙｅｓ）、送受信制御部が近接通信部を起動して通信信号の送出を開始し（ステップｆ２７）、その後ステップｆ２９に移行する。
【００９０】
そして、続くステップｆ２９では、相手カメラとの間で通信が確立した場合を監視している。なお、ここで監視する相手カメラとの通信は、実施の形態１と同様に、前述のステップｆ２６で通信開始指示が検出された場合であれば、ステップｆ２７で近接通信部が送出を開始した通信信号を相手カメラが受信し、受信した通信信号によって相手カメラが自動的に近接通信部を起動することで実現される。一方、自機による通信開始指示が検出されない場合（ステップｆ２６：Ｎｏ）であっても、相手カメラ側で通信開始指示がなされており、相手カメラから通信信号が送出されていれば、これらのカメラ本体同士が近づけらて相手カメラからの通信信号を受信することで実現される。
【００９１】
そして、デジタルカメラの電源投入時に相手カメラとの間で通信が確立すると（ステップｆ２９：Ｙｅｓ）、送受信制御部は、姿勢検出部による姿勢検出の結果をもとにしてカメラ本体の送信姿勢または受信姿勢を検出する。すなわち、送受信制御部は、カメラ本体が送信姿勢の場合には（ステップｆ３１：Ｙｅｓ）、送信モードとなって送信制御処理を行い（ステップｆ３３）、その後ステップｆ３７に移行する。ここで、送信制御処理は、実施の形態１で図１６に示した送信制御処理と同様にして行う。なお、ここでの送信制御処理では、再生中の撮影データを相手カメラに送信するようにしてもよい。なお、このとき、送信モードとなった旨のメッセージを表示部に表示する処理を行なってユーザに報知するようにしてもよい。あるいは、表示部へのデータの送信を報知するマーク表示やマークの点滅表示、カメラ本体に設けた発光部の点灯または点滅等によって報知する構成としてもよい。ここで、発光部は、データの受信を報知する発光部とは別に専用の発光部を設けることとしてもよいし、１つの発光部を用い、発光色や点滅パターン等によってデータの送信と受信とを識別可能に発光させる構成としてもよい。
【００９２】
一方、カメラ本体の姿勢が送信姿勢でなく（ステップｆ３１：Ｎｏ）、受信姿勢の場合には（ステップｆ３４：Ｙｅｓ）、送受信制御部は、受信モードとなって受信制御処理を行い（ステップｆ３５）、その後ステップｆ３７に移行する。ここで、受信制御処理は、実施の形態１で図１６に示した受信制御処理と同様にして行う。なお、このとき、受信モードとなった旨のメッセージを表示部に表示する処理を行なってユーザに報知するようにしてもよい。あるいは、表示部へのデータの受信を報知するマーク表示やマークの点滅表示、カメラ本体に設けた発光部の点灯または点滅等によって報知する構成としてもよい。受信姿勢でもない場合には（ステップ３４：Ｎｏ）、ステップｆ３７に移行する。
【００９３】
そして、ステップｆ３７では、送受信制御部は、近接通信部を停止状態にし、ステップｄ２９に移行する。
【００９４】
ここで、実施の形態３の受信制御処理は、撮影モード中または再生モード中であって、カメラ本体が受信姿勢の状態の場合に実行される処理であり、送信制御処理は、再生モード中であって、カメラ本体が送信姿勢の状態の場合に実行される処理である。換言すると、通信が確立したときのデジタルカメラの姿勢およびモードに関わらず、相手カメラは送信姿勢であって再生モードでなければ送信制御処理を実行せず、受信依頼の通知（図１６のステップｂ１を参照）を行わない。同様に、通信が確立したときのデジタルカメラの姿勢およびモードと関係なく、相手カメラは受信姿勢であって撮影モードまたは再生モードでなければ受信制御処理を実行せず、送信依頼の通知（図１６のステップｃ５を参照）を行わない。
【００９５】
以上説明したように、実施の形態３によれば、再生モード中においてカメラ本体の姿勢および変位をもとに通信開始指示を検出し、通信開始指示を検出した場合に近接通信部を起動して無線信号の送出を開始することができる。そして、再生モード中に他のデジタルカメラとの間で通信が確立した場合であって、カメラ本体の送信姿勢を検出した場合には相手カメラに対するデータの送信を行い、撮影モード中または再生モード中に他のデジタルカメラとの間で通信が確立した場合であって、カメラ本体の受信姿勢を検出した場合には相手カメラからのデータの受信を行うことができる。これによれば、実施の形態１と同様の効果を奏するとともに、デジタルカメラの動作モードを加味して通信開始指示を判定し、近接通信部の起動を行うことができる。したがって、ユーザは、再生モード中に他のデジタルカメラに送信したい撮影データがあった場合には、通信開始指示に従ってカメラ本体を動かすとともに、再生モード中のデジタルカメラのカメラ本体を送信姿勢にし、他のデジタルカメラのカメラ本体を受信姿勢にしてこれらを近づけて通信を確立させるだけでデータの送受を行うことができる。
【００９６】
また、単にデジタルカメラ間で通信が確立しただけではデータの送受信は行われず、一方が再生モード中であって且つ送信姿勢であり、他方が撮影モードまたは再生モードであって且つ受信姿勢である場合にデータの送受信を行うことができるので、デジタルカメラが意図せず他のデジタルカメラと近づけられた場合等の誤送信をより低減できる。さらに、カメラ本体の姿勢を送信姿勢または受信姿勢として検出した場合にのみ近接通信部を起動することとし、カメラ本体の送信姿勢または受信姿勢を検出しない間は近接通信部を駆動しないようにした。これにより、デジタルカメラ１の電力の消費を抑えることが可能となる。
【００９７】
以上、この発明の好適な実施の形態について説明したが、この発明は、上記したものに限定されず、発明の趣旨を逸脱しない範囲で適宜変更が可能である。
【００９８】
図２０は、変形例におけるデジタルカメラ１ａの主要内部構成の一例を示すブロック図である。なお、図２０において、図７と同様の構成には同一の符号を付している。本変形例のデジタルカメラ１ａは、近接通信部１９ａが起動部２０ａを備えた構成となっている。起動部２０ａは、アンテナに生じた電磁誘導によって、停止状態または待機状態にある制御部２１ａを起動し、その後制御部２１ａの制御のもと、近接通信部１９ａを起動する。すなわち、近接通信部１９ａは、この起動部２０ａによって他のデジタルカメラ１ａの近接通信部１９ａから送出された通信信号を検知し、制御部２１ａを起動する。このようにして起動された制御部２１ａは、近接通信部１９ａを起動するようになっており、他のデジタルカメラ１ａとの間で通信が確立する。
【００９９】
上記した実施の形態では、デジタルカメラ１ａの電源が投入されていることを前提として説明した。これに対し、本構成のデジタルカメラ１ａによれば、２つのデジタルカメラ１ａのうちの一方の電源が遮断されている場合であっても、他方のデジタルカメラ１ａの電源が投入されていれば、この電源が投入されているデジタルカメラ１ａの近接通信部１９ａが備える起動部２０ａによって電源が遮断された一方のデジタルカメラ１ａの電源を自動的に起動することが可能である。すなわち、電源が遮断された一方のデジタルカメラ１ａは、上記した実施の形態で説明した通信開始指示に従ってカメラ本体が動かされ、近接通信部１９ａが起動された他方のデジタルカメラ１ａから送出された通信信号によって、自動的に電源を投入することができる。
【０１００】
また、デジタルカメラ１ａは、前述のように他のデジタルカメラ（相手カメラ）１ａが送出した通信信号によって電源を投入した場合に、データの送受信処理を開始するようにしてもよい。図２１は、送受信処理の手順を示すフローチャートである。
【０１０１】
図２１に示すように、デジタルカメラ１ａの近接通信部１９ａが相手カメラ１ａの近接通信部１９ａの通信可能圏内に近接され、この相手カメラ１ａの近接通信部１９ａが送出した通信信号を受信すると、デジタルカメラ１ａの近接通信部１９ａのアンテナに電磁誘導が生じ、相手カメラ１ａとの間で通信が確立する（ステップｇ１）。詳細にはこのとき、デジタルカメラ１ａの近接通信部１９ａの起動部２０ａが、アンテナに生じた電磁誘導によって制御部２１ａを起動し、デジタルカメラ１ａの電源がＯＮされる（ステップｇ３）。この後、制御部２１ａが近接通信部１９ａを起動する。
【０１０２】
このようにしてデジタルカメラ１ａの電源がＯＮされると、制御部２１ａは、近接通信部１９ａを起動した後、姿勢検出部１３による姿勢検出の結果をもとにしてカメラ本体の送信姿勢または受信姿勢を検出する。そして、カメラ本体の送信姿勢を検出すると（ステップｇ５：Ｙｅｓ）、続いて送受信制御部２１１が、送信モードとなって送信制御処理を行い（ステップｇ７）、その後ステップｇ１３に移行する。一方、カメラ本体の受信姿勢を検出すると（ステップｇ９：Ｙｅｓ）、送受信制御部２１１は、受信モードとなって受信制御処理を行い（ステップｇ１１）、その後ステップｇ１３に移行する。ここで、送信制御処理および受信制御処理は、実施の形態１で図１６に示した送信制御処理および受信制御処理と同様にして行う。なお、ここでの送信制御処理では、例えば撮影日時が最新の撮影データを相手カメラ１ａに送信することとしてもよいし、再生モードにおいて最先に再生した撮影データを相手カメラに送信することとしてもよい。
【０１０３】
そして、ステップｇ１３では、送受信制御部２１１は、近接通信部１９ａを停止状態にし、本処理を終える。
【０１０４】
本変形例によれば、一方のデジタルカメラ１ａが電源遮断時であっても、他方のデジタルカメラ１ａの電源が投入されていれば、送信側のデジタルカメラ１ａを送信姿勢とし、受信側のデジタルカメラ１ａを受信姿勢としてこれらを近づけるだけでデータの送受信を切り換えて行うことができる。
【０１０５】
また、上記した実施の形態では、図４に示したように、カメラ本体３の背面を下にした鉛直下方へのスライド移動を通信開始指示として検出する場合について説明したが、カメラ本体３の姿勢のみによって通信開始指示を定義してもよい。この場合には、カメラ本体３の所定の姿勢を検出した場合に近接通信部１９を起動することができる。また、カメラ本体３の変位のみによって通信開始指示を定義しておくこともできる。この場合には、カメラ本体３の所定の変位を検出した場合に近接通信部１９を起動することができる。
【０１０６】
さらに、通信開始指示は、図４に示したカメラ本体３の背面を下にした鉛直下方へのスライド移動に限定されるものではなく、カメラ本体の回転や傾き等を組み合わせて適宜設定することができる。例えば、図５および図６に示して説明した通常使用時の把持状態から通信時の把持状態へと持ち替えるユーザの動作を利用し、カメラ本体３を水平方向に回転させて裏返す変位を検出して近接通信部１９を起動するようにしてもよい。
【０１０７】
また、上記した実施の形態では、背面を下にして鉛直下方に向けて動かされたデジタルカメラを送信側とした（図４を参照）。このように、送信側のデジタルカメラを動かすことで、意図しないデータの送信が防止できるようになっている。これに対し、鉛直上方から下方に向けて動かされたデジタルカメラを受信側としてもよい。例えば、あるデジタルカメラに記録された撮影データを複数のデジタルカメラに送信したいような場合には、送信側のデジタルカメラを例えば卓上に載置した状態で、受信側のデジタルカメラを順番に鉛直上方から近づけることで、近づけられたデジタルカメラに撮影データを順次送信するといったことが可能となる。
【０１０８】
また、カメラ本体を近づけることによって行われるデジタルカメラ間の近接無線通信を確実に行うために、バイブレータ等の振動発生部をカメラ本体に内蔵し、通信が確立した際に振動発生部を振動させることで、通信状態を報知するようにしてもよい。あるいは、デジタルカメラが具備する図示しないスピーカから、通信が確立した旨を報知する音出力を行うようにしてもよい。このようにすれば、ユーザは、通信状態を容易に認識できる。また、このとき、相手カメラから受信した電波の強弱を判定し、振動発生部によって発生する振動の強弱あるいは振動数を変更したり、スピーカから出力する音の強弱を変更するようにしてもよい。これによれば、ユーザは、通信状態を触感や聴覚の補助によって容易に確認することができる。さらに、カメラ本体が送信姿勢なのか受信姿勢なのかに応じた振動の発生や、音の出力を行うことで、ユーザは、送受信させるデジタルカメラが送信側なのか受信側なのかを触感や聴覚によって確認することができ、間違いのないデータの送受信が実現できる。
【０１０９】
また、上記した実施の形態では、カメラ本体の姿勢が送信姿勢なのか受信姿勢なのかに応じて相手カメラに対するデータの送信と相手カメラからのデータの受信とを切り換えて行うこととしたが、さらに、変位検出部が検出したカメラ本体の変位を加味してデータの送受信を切り換えるようにしてもよい。例えば、加味するカメラ本体の変位については、カメラ本体のスライド移動や回転、傾きまたはこれらを組み合わせて予め設定しておくことができる。これによれば、カメラ本体の姿勢に加えてさらにカメラ本体の変位を加味してデータの送受信を切り換えることができるので、デジタルカメラが意図せず他のデジタルカメラと近づけられた場合等の誤送信をより一層低減できる。
【０１１０】
また、上記した実施の形態では、加速度センサや角速度センサ等の変位検出部１４によってカメラ本体３の変位を検出することとしたが、画像処理によってカメラ本体３の変位を検出するようにしてもよい。例えば、１フレーム毎に撮像部１１によって取り込まれる各ライブビュー画像に映る同一の被写体位置の変化量を表す動きベクトルを算出し、フレーム間の動きを検出することによってカメラ本体の変位を検出することとしてもよい。この場合には、角速度センサや加速度センサを備えないデジタルカメラであっても、新たな構成を追加することなくカメラ本体の変位を検出することができる。
【０１１１】
また、上記した実施の形態１では、近接通信部１９のアンテナがカメラ本体３の背面側に配置される場合を例示し、カメラ本体３の背面同士が近づけられた場合に通信が確立されるようにしたが、近接通信部の配置位置はこれに限定されるものではない。図２２は、変形例のデジタルカメラ１ｂ間で通信を行う様子を側面側から示した説明図であり、一方をデジタルカメラ１ｂ−１とし、他方をデジタルカメラ１ｂ−２としている。
【０１１２】
図２２に示すように、デジタルカメラ１ｂ−１および１ｂ−２の近接通信部１９ｂは、そのアンテナがカメラ本体３の前面側に配置されるように具備されており、カメラ本体３の前面同士が近づけられ、各々の近接通信部１９ｂが互いに通信可能圏内に近接されると、これらの間で通信が確立されるようになっている。そして、この場合には、例えば、カメラ本体３の前面が鉛直下方に向いた状態で鉛直下方にスライド移動する変位を通信開始指示として検出するようにしてもよい。すなわち、ユーザは、近接通信部１９ｂを起動して通信を開始したい場合には、デジタルカメラ１ｂ−１のカメラ本体３の背面を下にした状態で、図２２中に矢印Ａ６で示すように鉛直下方にスライドさせて動かす。このようにしてカメラ本体３を動かすと、近接通信部１９ｂが起動されるようになっており、他のデジタルカメラ１ｂ（１ｂ−２）との通信が可能となる。
【０１１３】
また、上記した実施の形態１では、近接通信部１９（詳細には近接通信部１９のアンテナ）の配置位置によってデジタルカメラ１の前後方向の姿勢を規定することとした。しかしながらこの場合、実際には、各々の近接通信部１９同士が近接されればカメラ本体３の上下左右方向の姿勢に関わらず通信は確立する。この問題を解決するために、相手カメラ１との間で姿勢情報を送受信し、互いに上下左右の向きが揃っているかどうかを判定するようにしてもよい。そして、向きが揃っている場合にデータの送受信を行うようにしてもよい。これによれば、他のデジタルカメラ１との間でデータを送受信する際のカメラ本体３の姿勢をより細かく規定でき、カメラ本体３同士が意図せず近づけられた場合等における誤送信をより低減できる。
【０１１４】
また、特定のデジタルカメラとのみデータの送受信を行うようにしてもよい。この場合には、予めデジタルカメラにおいて送受信する相手カメラを登録しておく。そして、通信が確立した相手カメラが登録されている場合にはデータの送受信を行い、登録されていない場合には、送受信を行わない。このとき、送信相手の相手カメラと受信相手の相手カメラとを個別に登録するように構成し、特定の送信相手の相手カメラにのみデータの送信を行い、特定の受信相手の相手カメラからのみデータの受信を行うようにしてもよい。
【０１１５】
また、上記した実施の形態では、撮影データを送信するカメラの例としてデジタルカメラについて説明したが、例えばカメラ機能付きの携帯電話機やゲーム機、音楽プレーヤ等、他の機器との間でデータの送受信が可能な携帯端末に適用できる。例えば、携帯端末の一例である携帯型の音楽プレーヤにおいて、他の携帯機器との間で音楽データを送受信する場合にも適用可能である。また、携帯型の音楽プレーヤにおいて、他の携帯機器との間で、音楽データと併せて例えばＣＤジャケットの画像データといったその音楽データに関連付けられたデータを送受信する場合にも、同様に適用可能である。
【図面の簡単な説明】
【０１１６】
【図１】デジタルカメラの前面側を示す概略斜視図である。
【図２】デジタルカメラの背面側を示す概略斜視図である。
【図３】デジタルカメラ間で通信を行う様子を側面側から示した説明図である。
【図４】通信開始指示を説明する説明図である。
【図５】通常使用時のカメラ本体の把持状態を示す図である。
【図６】通信時のカメラ本体の把持状態を示す図である。
【図７】デジタルカメラの主要内部構成の一例を示すブロック図である。
【図８】カメラ本体の姿勢検出および変位検出を説明するための図である。
【図９】カメラ本体の姿勢の検出原理の一例を説明する図である。
【図１０】カメラ本体の姿勢の検出原理の一例を説明する他の図である。
【図１１】カメラ本体の移動量の検出原理の一例を説明する図である。
【図１２−１】カメラ本体の移動量の検出原理を説明する他の図である。
【図１２−２】カメラ本体の移動量の検出原理を説明する他の図である。
【図１２−３】カメラ本体の移動量の検出原理を説明する他の図である。
【図１３】カメラ本体の回転量の検出原理を説明する図である。
【図１４】カメラ本体の回転量の検出原理を説明する他の図である。
【図１５】実施の形態１のデジタルカメラが行う基本処理の手順を示すフローチャートである。
【図１６】送信制御処理および受信制御処理の詳細な処理手順を示すフローチャートである。
【図１７】実施の形態２のデジタルカメラが行う基本処理の手順を示すフローチャートである。
【図１８】近接通信部起動処理の詳細な処理手順を示すフローチャートである。
【図１９】実施の形態３のデジタルカメラが行う基本処理の手順を示すフローチャートである。
【図２０】変形例におけるデジタルカメラの主要内部構成の一例を示すブロック図である。
【図２１】送受信処理の手順を示すフローチャートである。
【図２２】他の変形例のデジタルカメラ間で通信を行う様子を側面側から示した説明図である。
【符号の説明】
【０１１７】
１，１ａ      デジタルカメラ
３      カメラ本体
４      撮像レンズ
５      レリーズスイッチ
７      ボタンスイッチ
８      グリップ部
１１      撮像部
１２      画像処理部
１３      姿勢検出部
１４      変位検出部
１５      操作部
１６      表示部
１７      記録部
１８      時計部
１９，１９ａ      近接通信部
２０ａ      起動部
２１，２１ａ      制御部
２１１      送受信制御部
【図１】
2010068494.tif 000003
【図２】
2010068494.tif 000004
【図３】
2010068494.tif 000005
【図４】
2010068494.tif 000006
【図５】
2010068494.tif 000007
【図６】
2010068494.tif 000008
【図７】
2010068494.tif 000009
【図８】
2010068494.tif 000010
【図９】
2010068494.tif 000011
【図１０】
2010068494.tif 000012
【図１１】
2010068494.tif 000013
【図１２−１】
2010068494.tif 000014
【図１２−２】
2010068494.tif 000015
【図１２−３】
2010068494.tif 000016
【図１３】
2010068494.tif 000017
【図１４】
2010068494.tif 000018
【図１５】
2010068494.tif 000019
【図１６】
2010068494.tif 000020
【図１７】
2010068494.tif 000021
【図１８】
2010068494.tif 000022
【図１９】
2010068494.tif 000023
【図２０】
2010068494.tif 000024
【図２１】
2010068494.tif 000025
【図２２】
2010068494.tif 000026